(57)【要約】【課題】骨折などの患部を応急手当などで簡易的に、圧迫せずに動かない状態で保持することができる簡易型シーネを提供する。【解決手段】シーネ本体１は、第１フィルム２と第２フィルム３を重ね合わせ、第１フィルム２と第２フィルム３間を線状に熱融着して形成される。シーネ本体１には、複数の空気セルが長手方向及び短手方向に複数個設けて形成される。シーネ本体１は、縦方向に延びる複数の長尺空気セル６を並設した第１保持部８と、第１保持部８の端部に一体的に且つ第１保持部８と略直角状態に設けられ、第１保持部の長尺空気セル６と連通する多数の短尺空気セル７を有する第２保持部９とを備える。シーネ本体１の複数の空気セル内には空気注入口４を通して空気を注入し、膨張させて使用する。【選択図】図１
2015033554.tif 000002
【特許請求の範囲】
【請求項１】
シーネ本体が、第１フィルムと第２フィルムを重ね合わせ、該第１フィルムと第２フィルム間を線状に熱融着して、複数の空気セルを長手方向及び短手方向に複数個設けて形成され、該複数の空気セル内に空気注入口から空気を注入して使用する簡易型シーネであって、
該シーネ本体は、縦方向に延びる複数の長尺空気セルを並設した第１保持部と、該第１保持部の端部に一体的に且つ該第１保持部と略直角状態に設けられ、該第１保持部の長尺空気セルと連通する多数の短尺空気セルを有する第２保持部とを備え、
該第１保持部と該第２保持部の角縁部が所定長の熱融着縁部で熱融着され、該第１保持部及び該第２保持部の長尺空気セルへの空気注入によって、該第１保持部と該第２保持部の略直角の角部がその横断方向に円弧状に曲げられ、上肢または下肢の患部が該第１保持部と該第２保持部間の角部の内側に挿入され、該患部を該シーネ本体により保持することを特徴とする簡易型シーネ。
【請求項２】
前記シーネ本体の第１保持部または第２保持部の端部に空気注入口が設けられ、該空気注入口に続く空気注入路にチェックバルブ部が設けられ、該シーネ本体の各長尺空気セル及び短尺空気セルに該空気注入口から該チェックバルブ部を通して空気が充填されることを特徴とする請求項１記載の簡易型シーネ。
【請求項３】
前記シーネ本体の第１保持部及び第２保持部の一部の長手方向に沿って、複数の長尺空気セルが両側に熱融着した長尺ヒートシール部によって並設形成され、該長尺空気セルの先端部に前記チェックバルブ部がフィルムにより形成され、前記第２保持部の該長尺空気セルの幅方向には短尺ヒートシール部が該長尺ヒートシール部の横断方向に部分的に形成されて、多数の短尺空気セルが形成されたことを特徴とする請求項２記載の簡易型シーネ。
【請求項４】
前記第２保持部は、前記短尺空気セルの短尺ヒートシール部から折り曲げることにより、その長さが調整可能とされることを特徴とする請求項３記載の簡易型シーネ。
【請求項５】
前記第１保持部と第２保持部の境界部分は前記長尺空気セルから形成され、該第１保持部と第２保持部を重ね合わせた状態でその角部の両側縁部を所定長さだけ熱融着して熱融着縁部が形成され、該第１保持部と第２保持部の各長尺空気セル及び短尺空気セルに空気を充填したとき、該第１保持部と第２保持部が略直角状態となり、且つ該第１保持部と第２保持部の角部近傍が円弧状に湾曲するように構成されたことを特徴とする請求項１記載の簡易型シーネ。
【請求項６】
前記シーネ本体は、前記第１保持部の端部に上記空気注入口及び空気注入路が設けられ、該空気注入路から該第１保持部及び第２保持部の長手方向に沿って長尺空気セルが長尺ヒートシール部によって並設形成され、該長尺空気セルの先端部に前記チェックバルブ部がフィルムにより形成され、該第２保持部の該長尺空気セルの幅方向には該長尺ヒートシール部の横断方向に短尺ヒートシール部が部分的に形成されて多数の短尺空気セルが該第２保持部に設けられたことを特徴とする請求項１記載の簡易型シーネ。
【発明の詳細な説明】
【技術分野】
【０００１】
本発明は、上肢や下肢の捻挫、脱臼、或いは骨折の際、応急処置として、患部を圧迫することなく、動かない状態に保持する簡易型シーネに関する。
【背景技術】
【０００２】
上肢や下肢を捻挫、脱臼、或いは骨折した際、応急処置として、患部を圧迫することなく、動かない状態に保持し、その状態で、医療機関まで搬送することが、その後の患部の治療のために、重要である。
【０００３】
従来、下記特許文献１において、逆止弁を設けた二重袋内に、逆止弁を通して空気を注入し、二重袋内に差し入れた上肢や下肢の患部を、二重袋の内径の収縮によって圧迫し、固定するエアーギブスが提案されている。
【先行技術文献】
【特許文献】
【０００４】
【特許文献１】実用新案登録第３１５２４９９号公報
【発明の概要】
【発明が解決しようとする課題】
【０００５】
しかしながら、この従来のエアーギブスは、二重袋内に、上肢や下肢の患部を挿入する部分を設け、その袋体の内部に患部を挿入した状態で、二重袋内に空気を注入し、二重袋の内径を収縮させ、患部を包囲する二重袋の収縮によって患部の周囲全体を圧迫し保持する。
【０００６】
このため、二重袋内に空気を注入する際、過度の空気圧で空気を二重袋に注入した場合、或いはそれほど高い空気圧を二重袋に注入しない場合であっても、エアーギブスが患部の周囲全体を圧迫し、患部の圧迫によって、患部にフォルクマン拘縮（阻血性拘縮）が生じ、その後の医療機関での治療が難しくなるなどの問題があった。
【０００７】
本発明は、上述の課題を解決するものであり、骨折などの患部を応急手当などで簡易的に、圧迫せずに動かない状態で保持することができる簡易型シーネを提供することを目的とする。
【課題を解決するための手段】
【０００８】
本発明に係る簡易型シーネは、シーネ本体が、第１フィルムと第２フィルムを重ね合わせ、該第１フィルムと第２フィルム間を線状に熱融着して、複数の空気セルを長手方向及び短手方向に複数個設けて形成され、該複数の空気セル内に空気注入口を通して空気を注入して使用する簡易型シーネであって、
該シーネ本体は、縦方向に延びる複数の長尺空気セルを並設した第１保持部と、該第１保持部の端部に一体的に且つ該第１保持部と略直角状態に設けられ、該第１保持部の長尺空気セルと連通する多数の短尺空気セルを有する第２保持部とを備え、
該第１保持部と該第２保持部の角縁部が所定長の熱融着縁部で熱融着され、該第１保持部及び該第２保持部の長尺空気セルへの空気注入によって、該第１保持部と該第２保持部の略直角の角部がその横断方向に円弧状に曲げられ、使用時、上肢または下肢の患部が該第１保持部と該第２保持部間の角部の内側に挿入され、該患部を該シーネ本体により保持することを特徴とする。
【０００９】
この発明によれば、シーネ本体の空気セル内に空気を充填した状態で、第１保持部と該第２保持部が連接する角部が略直角状態となり、且つ第１保持部と該第２保持部の角部がその横断幅方向に円弧状に湾曲した形状となるので、使用時、患部となる上肢の肘や下肢の踝に対し、シーネ本体の第１保持部と第２保持部を良好に添わせて装着することができ、上肢や下肢の足首の患部が圧迫されることはない。なお、シーネ本体はサージカルテープ、帯紐などにより、患部に添わせて取着する。
【００１０】
さらに、シーネ本体がフィルム製で多数の空気セルを設けて形成されるため、適度な緩衝性をもって柔らかく患部を保持することができるので、捻挫、脱臼、或いは骨折した際、応急処置として、患部を動かない状態に保持し、患部にフォルクマン拘縮（阻血性拘縮）を生じさせずに、医療機関まで搬送することができる。
【００１１】
また、シーネ本体の空気セル内には、手動ポンプなどを用いて、簡単に空気を注入し、使用状態まで膨張させることができるので、通常時には小さく折り畳んだ状態で保管し、応急処置が必要な際には、簡便にシーネ本体を膨張させて使用することができる。
【００１２】
ここで、上記簡易型シーネにおいて、シーネ本体の第１保持部または第２保持部の端部に空気注入口が設けられ、該空気注入口に続く空気注入路にチェックバルブ部が設けられ、該シーネ本体の各長尺空気セルと短尺空気セルに該空気注入口から該チェックバルブ部を通して空気を充填するように構成することができる。
【００１３】
またここで、上記簡易型シーネにおいて、前記シーネ本体の第１保持部及び第２保持部の一部の長手方向に沿って、複数の長尺空気セルが両側に熱融着した長尺ヒートシール部によって並設形成され、該長尺空気セルの先端部に前記チェックバルブ部がフィルムにより形成され、前記第２保持部の該長尺空気セルの幅方向には短尺ヒートシール部が該長尺ヒートシール部の横断方向に部分的に形成されて、多数の短尺空気セルが形成される構成とすることができる。
【００１４】
また、上記第２保持部は、短尺空気セルの短尺ヒートシール部から折り曲げることにより、その長さを調整可能とするように構成することが好ましい。
【００１５】
これによれば、簡易型シーネを使用する際、シーネ本体の第２保持部の長さを、患部の外形形状に添わせるように、短尺空気セルの部分熱融着部から自在に曲げて使用することができる。
【００１６】
さらにここで、前記第１保持部と第２保持部の境界部分は前記長尺空気セルから形成され、該第１保持部と第２保持部を重ね合わせた状態でその角部の両側縁部を所定長さだけ熱融着して熱融着縁部が形成され、該第１保持部と第２保持部の該長尺空気セル及び短尺空気セル内に空気を充填したとき、該第１保持部と第２保持部が略直角状態となり、且つ第１保持部と第２保持部の角部近傍が円弧状に湾曲するように構成することができる。これによれば、シーネ本体の第１保持部及び第２保持部に空気を注入したとき、第１保持部及び第２保持部の形状を、シーネに最適な湾曲形状で且つ略直角形状とすることができる。
【００１７】
またここで、上記シーネ本体は、上記第１保持部の端部に上記空気注入口及び空気注入路が設けられ、該空気注入路から該第１保持部及び第２保持部の長手方向に沿って長尺空気セルが長尺ヒートシール部によって並設形成され、該長尺空気セルの先端部に上記チェックバルブ部がフィルムにより形成され、該第２保持部の該長尺空気セルの幅方向には該長尺ヒートシール部の横断方向に短尺ヒートシール部が部分的に形成されて上記多数の短尺空気セルが該シーネ本体の該第２保持部に設けられる構成とすることができる。
【発明の効果】
【００１８】
本発明の簡易型シーネによれば、骨折などの患部を応急手当などで簡易的に、圧迫せずに動かない状態で保持することができる。
【図面の簡単な説明】
【００１９】
【図１】本発明の一実施形態を示し、空気を充填した状態の簡易型シーネの斜視図である。
【図２】チェックバルブ部の構成を示す、簡易型シーネの正面図である。
【図３】同簡易型シーネの右側面図である。
【図４】空気を充填する前の、展開した状態のシート状シーネ本体の平面図である。
【図５】同シーネ本体のフィルム厚さを強調図示した模式図的なV-V断面図である。
【図６】第１保持部を折り曲げて角部の熱融着縁部をヒートシールした状態の、空気を充填する前の断面図である。
【図７】使用状態を示す、簡易型シーネを肘関節に当てた状態の右側面図である。
【図８】上肢の要所とシーネをサージカルテープで止めた状態の右側面図である。
【図９】使用状態を示す、シーネを足首関節に当てた状態の右側面図である。
【図１０】シーネと下肢の要所をサージカルテープで止めた状態の右側面図である。
【発明を実施するための形態】
【００２０】
以下、本発明の一実施形態を図面に基づいて説明する。本発明の簡易型シーネは、フィルム製の空気セル内に空気を充填する構造のシーネ本体１を備え、シーネ本体１は、図４，５に示すように、概略的には、第１フィルム２と第２フィルム３を重ね合わせ、第１フィルム２と第２フィルム３間の要部を線状に熱融着して、多数の空気セルを長手方向及び短手方向に並列に設けて形成され、空気セル内に空気注入口４を通して空気を注入して使用するように構成される。
【００２１】
シーネ本体1は、長手方向に延びる複数の長尺空気セル１６を並設した第１保持部８と、第１保持部８の端部に一体的に且つ第１保持部８と略直角状態で設けられ、第１保持部８の長尺空気セル１６と連通する多数の短尺空気セル１７を有する第２保持部９とを備えて構成される。
【００２２】
図４、５、６に示すように、第１フィルム２、第２フィルム３は各々長方形の同じ大きさに裁断され、その周縁部がヒートシール部２６，２７により熱融着されヒートシールされる。さらに、第１フィルム２と第２フィルム３間には、その長尺方向に沿って多数の長尺ヒートシール部１６が所定の間隔でヒートシールされ、それにより、図４の左側の第１保持部８には多数の長尺空気セル６が並列に形成される。
【００２３】
長尺ヒートシール部１６は、図４の右側の第２保持部９まで連続して延設され、第２保持部９には、長尺ヒートシール部１６と長尺ヒートシール部１６の間を横断する方向に、短尺ヒートシール部１７がヒートシールにより部分的に形成され、これにより、多数の短尺空気セル７が長手方向及び短手方向に沿って並列に、第２保持部９に形成される。
【００２４】
短尺の短尺空気セル７は多数の短尺ヒートシール部１７を介して多数個が第２保持部９に形成されるが、短尺ヒートシール部１７は短尺空気セル７の幅方向に部分的に形成され、一部が隣接する短尺空気セル７または長尺空気セル６と連通するので長尺空気セル６を通して空気を充填することができる。また、第２保持部９は短尺空気セル７の短尺ヒートシール部１７の部分から容易に折り曲げることができる。このため、第２保持部９の長さを腕などの長さに応じて短く調整したい場合、第２保持部９の先端側を、適当な位置の短尺ヒートシール部１７から折曲部９ａとして折り曲げて使用することができるようになっている。
【００２５】
図４に示すシーネ本体１は、平坦なシート状とした展開状態の平面を示しており、製造時のシーネ本体１の最終的な形状は、第１保持部８と第２保持部９の間の折り曲げ線ＦＬで第２保持部９が第１保持部８と重なり合うように折り曲げ、その状態で、図６のように、折り曲げ角部の縁部をヒートシールして熱融着縁部２１とする。これにより、シーネ本体１の長尺空気セル６に空気を充填したとき、完全に平坦状に１８０°折れ曲った状態の第１保持部８と第２保持部９は、その長尺空気セル６の展開により略９０°まで開き、第１保持部８と第２保持部９は折り曲げ線ＦＬを境に略直角状態となる。
【００２６】
しかも、第１保持部８と第２保持部９の角部２０の角縁部が所定長の熱融着縁部２１で熱融着されているため、第１保持部８及び第２保持部９の長尺空気セル６への空気注入によって、シーネ本体１が両側の熱融着縁部２１の融着により幅方向に引っ張られる。このため、第１保持部８と第２保持部９の略直角の角部２０が図１のように、その横断方向に円弧状に曲げられ、これにより、シーネの使用時、上肢または下肢の患部を、第１保持部８と該第２保持部９間の角部２０の内側に、良好に挿入して保持することができる形状となる。
【００２７】
したがって、図１に示すシーネ本体１の第１保持部８の長さは、それが上腕部或いは足部に当てて保持することを想定して、上腕部或いは足部の約半分程度の長さに設定され、その第２保持部９の長さは、前腕部或いは下肢の膝下部より少し長くなるように形成される。
【００２８】
図４に示すように、シーネ本体１の第１保持部８の端部に、空気注入路５が第１フィルム２、第２フィルム３を融着するヒートシール部２６の内側に形成され、その空気注入路５の端部に、空気注入口４が開口して設けられる。空気注入路５から各長尺空気セル６に空気が注入されるように空気通路が連通するが、その各空気通路に、図２，４に示す如く、チェックバルブ部１０が配設される。チェックバルブ部１０は、空気注入路５を通して長尺空気セル６に空気を充填し、長尺空気セル６が膨張した状態で、空気の注入を停止したとき、自動的にチェックバルブ部１０が閉鎖され、長尺空気セル６及び短尺空気セル７内に所定の空気圧の空気が保持されるようになっている。
【００２９】
チェックバルブ部１０は、図４，５に示す如く、第１フィルム２、第２フィルム３の内側に、２枚のバルブ用第１フィルム１１とバルブ用第２フィルム１２を所定部位で熱融着して構成され、空気の注入後に、連設する長尺空気セル６が膨張し空気圧が空気セル内に印加されたとき、その空気圧がバルブ用第１フィルム１１をバルブ用第２フィルム１２に圧着し、またはバルブ用第２フィルム１２をバルブ用第１フィルム１１に圧着するように作用し、チェックバルブ部１０内のバルブ通路１３及びとの近傍を空気圧により閉鎖する構造である。
【００３０】
次に、上記構成の簡易型シーネの使用形態について説明する。製造販売される、空気を注入する前の簡易型シーネは、図６に示すように、シーネ本体１の第１保持部８が折り曲げ線ＦＬから第２保持部９と重ね合わせるように折り曲げられ、その角部２０の両側縁部である熱融着縁部２１が所定の長さで熱融着されている。このため、この簡易型シーネは、製造販売時にはシート状にして包装袋などに入れ、薄く簡便に運搬し或いは保存することができる。
【００３１】
簡易型シーネを使用する場合、手動ポンプのノズルをシーネ本体１の第１保持部８の端部に設けた空気注入口４に差し込み、空気を注入する。この簡易型シーネは、ストローなどを用いて息の吹き込みによっても、空気をシーネ本体１内に注入することができる。注入空気の圧力は、例えば４ｐｓｉ（２７．５６ｋＰＡ）〜１０ｐｓｉ（６８．９０ｋＰａ）程度の空気圧でシーネ本体１に注入することができるからである。
【００３２】
手動ポンプのノズルやストローを第１保持部８端部の空気注入口４に差し込み、空気を注入すると、空気は、空気注入路５から各長尺空気セル６の端部に設けたチェックバルブ部１０のバルブ通路１３を通り、長尺空気セル６内に進入している。そして、長尺空気セル６内がある程度膨張すると、長尺空気セル６から短尺空気セル７内に空気が進入し、短尺空気セル７にも空気が注入され、短尺空気セル７も膨張していく。
【００３３】
一方、第１保持部８と第２保持部９の折り曲げ線ＦＬ近傍では、長尺空気セル６内の圧力が上昇するに従って１８０°の折り曲げ状態が徐々に開いて長尺空気セル６が膨張し、ギブスとして使用可能な圧力まで上昇する。このとき、第１保持部８と第２保持部９の角部２０の折り曲げ角度は、図１のように約９０°まで近づき、第１保持部８と第２保持部９が略直角状態となる。
【００３４】
またこのとき、同時に第１保持部８と第２保持部９の角部２０は、図１に示す如く、その横断幅方向に円弧状に湾曲した形状となる。つまり、第１保持部８と第２保持部９の角部２０は所定の長さだけ両側縁部がヒートシールされて熱融着縁部２１となっているので、長尺空気セル６の膨張に伴い、第１保持部８と第２保持部９の角部２０が約９０°まで徐々に開くと、熱融着縁部２１によって両側を規制された第１保持部８と第２保持部９の両側縁部が内側に引っ張られ、図１に示すように、シーネ本体１の第１保持部８と第２保持部９はその横断幅方向で且つ内側に横断面略半円形に湾曲することとなる。
【００３５】
図１に示す如く、適正形状にシーネ本体１が膨張した状態で、空気の充填は完了し、手動ポンプのノズル等を空気注入口４から外す。各長尺空気セル６と空気注入路５との間のチェックバルブ部１０があるため、チェックバルブ部１０の部分で排気が停止し、図１のようにシーネ本体１が膨張した状態に保持される。つまり、チェックバルブ部１０では、長尺空気セル６の圧力上昇に伴い、チェックバルブが機能し、空気の逆流が阻止され、各長尺空気セル６と短尺空気セル７の膨張状態は、そのまま保持され、シーネ本体１は図１に示す状態となる。
【００３６】
このように、簡易型シーネは、空気を充填する前は、第１保持部８と第２保持部９を重ね合わせた状態の薄いシート状であるが、空気を充填することにより、図１のように、第１保持部８と第２保持部９が略直角状態となると共に、その横断幅方向の内側に湾曲した、簡易型シーネとして最適な形状に膨張する。
【００３７】
上肢や下肢が、捻挫、脱臼、或いは骨折した際、応急処置として、患部を動かないように保持する場合、上記の如くシーネ本体１に空気を充填して、図１のような形状に膨張させた状態で、例えば、患部が上肢の肘関節の場合、図７のように、シーネ本体１の第１保持部８と第２保持部９の角部２０の内側に肘関節を入れるように、シーネ本体１を肘関節の下側に当てる。
【００３８】
このとき、第２保持部９の長さが、患部の前腕部の長さに比して長い場合、図７のように、第２保持部９の先端部を折曲部９ａとして下側に折り曲げて使用する。この第２保持部９は、多数の短尺空気セル７で形成され、短尺空気セル７は短尺ヒートシール部１７に箇所で任意に折り曲げることができる。このため、患部の上肢の長さに合わせてシーネ本体１の長さを調整することができ、これにより、簡易型シーネは、子供から大人まで各種の長さの上肢や下肢の患部に簡便に使用することができる。
【００３９】
図７のように、患部（肘関節から手首近傍までの前腕部）の下から患部を保持するようにシーネ本体１を当て、その状態で、図８のように、例えばサージカルテープ３０を手首部分、前腕部及び上腕部に巻き、患部に対しシーネ本体１を固定する。このとき、サージカルテープ３０は締めすぎないように巻いて止めるが、患部に対しシーネ本体１はその下側を保持するように当てられているのみで、患部の上側は開放されているので、患部近傍がこの簡易型シーネによって締め付けられることはない。なお、各種の粘着テープ、包帯或いは帯紐を用いて、シーネ本体１を患部に止めることもできる。また、シーネ本体１は、フィルム製で多数の長尺空気セル６と短尺空気セル７を設けて形成されるため、適度な緩衝性をもって柔らかく且つ確実に患部を保持することができる。
【００４０】
このように、簡易型シーネは、空気セル内に空気を充填するのみで使用することができ、肘関節などを捻挫、脱臼、或いは骨折した際、応急処置として、患部を動かない状態に保持し、患部にフォルクマン拘縮（阻血性拘縮）を生じさせずに、医療機関まで搬送することができる。
【００４１】
図９，１０は、患部が下肢の足首などの場合に、簡易型シーネを使用して患部を救急固定する例を示している。患部が下肢の足首近傍の場合、図９のように、シーネ本体１の第１保持部８と第２保持部９の角部２０の内側に足首の関節を入れるようにして、シーネ本体１を下肢の後ろ側に当てる。その状態で、第２保持部９の先端は、膝関節の上まで達するが、短尺空気セル７によって第２保持部９は任意の位置で容易に曲げることができ、下肢の後ろ側に適正に当てることができる。
【００４２】
そして、この状態で、図１０のように、先ず、第２保持部９の上部と膝関節との間にサージカルテープ３０を巻きつけて止め、次に、第１保持部８と足首の踵部間にサージカルテープ３０を巻きつけ、患部に対しシーネ本体１を装着する。このときも上記と同様に、サージカルテープ３０は患部を締めすぎないように巻いて止めるが、患部に対しシーネ本体１はその後ろ側のみを保持するように当てられ、患部の前側は開放されているので、患部近傍が簡易型シーネによって締め付けられることはない。また、シーネ本体１は、フィルム製で多数の長尺空気セル６と短尺空気セル７を設けて形成されるため、適度な緩衝性をもって柔らかく且つ確実に患部を保持することができる。
【符号の説明】
【００４３】
１      シーネ本体
２      第１フィルム
３      第２フィルム
４      空気注入口
５      空気注入路
６      長尺空気セル
７      短尺空気セル
８      第１保持部
９      第２保持部
９ａ    折曲部
１０    チェックバルブ部
１１    バルブ用第１フィルム
１２    バルブ用第２フィルム
１３    バルブ通路
１６    長尺ヒートシール部
１７    短尺ヒートシール部
２０    角部
２１    熱融着縁部
２６    ヒートシール部
【図１】
2015033554.tif 000003
【図２】
2015033554.tif 000004
【図３】
2015033554.tif 000005
【図４】
2015033554.tif 000006
【図５】
2015033554.tif 000007
【図６】
2015033554.tif 000008
【図７】
2015033554.tif 000009
【図８】
2015033554.tif 000010
【図９】
2015033554.tif 000011
【図１０】
2015033554.tif 000012